(57)【要約】【課題】  メモリーカードから光ディスクへのデータコピーを確実且つ操作性良く行うことができるデータ記録装置を提供すること。【解決手段】  メモリーカードリーダ装置１５と、光ディスク記録再生装置６とを備えたデータ記録装置において、前記光ディスク記録再生装置６は、前記メモリーカードリーダからの読み取りデータを前記光ディスク記録再生装置６に送るとともに、データ記録の際には、トレイの開放を阻止するための手段と、データ記録終了後、前記メモリーカードが抜かれたかどうかを確認するための手段と、前記メモリーカードが抜かれたことを確認した後、イジェクト操作されたときに前記トレイを開放する手段と、前記トレイが一定時間開放の状態であると、前記トレイを閉じる手段とを備えている。【選択図】    図９
2005108323.tif 000002
【特許請求の範囲】
【請求項１】
メモリーカードリーダ装置と、光ディスク記録再生装置とを備えたデータ記録装置において、前記光ディスク記録再生装置は、前記メモリーカードリーダからの読み取りデータを前記光ディスク記録再生装置に送るとともに、データ記録の際には、トレイの開放を阻止するための手段と、データ記録終了後、前記メモリーカードが抜かれたかどうかを確認するための手段と、前記メモリーカードが抜かれたことを確認した後、イジェクト操作されたときに前記トレイを開放する手段と、前記トレイが一定時間開放の状態であると、前記トレイを閉じる手段とを備えていることを特徴とするデータ記録装置。
【請求項２】
請求項１記載のデータ記録装置において、メモリーカードに記録された情報を読み出し、光ディスクに書き込むことのみを行うことを特徴とするデータ記録装置。
【発明の詳細な説明】
【技術分野】
【０００１】
本発明は、光ディスクの記録再生装置と、メモリーリーダ装置とを備えたデータ記録装置に関し、詳しくは、データ記録装置の光ディスクの記録再生装置のトレイ引き出し装置に関する。
【背景技術】
【０００２】
従来、記録型光学式記録媒体として、ＣＤ−Ｒ，ＣＤ−ＲＷ，ＤＶＤ−Ｒ，ＤＶＤ−ＲＷ，ＤＶＤ−ＲＡＭ，ＤＶＤ＋Ｒ，ＤＶＤ＋ＲＷ等の光ディスクがある。この光ディスクを記録する装置として、ＣＤ−Ｒ／ＲＷ、ＤＶＤ−Ｒ／ＲＷ、ＤＶＤ−ＲＡＭドライブ、ＤＶＤ＋Ｒ／ＲＷドライブ等がある。光ディスク装置には、収容するための出し入れ可能なトレイを備えた着脱装置を備えたものがある。
【０００３】
図１０は従来技術による光ディスクの着脱装置の構成を示す図である。図１０を参照すると、光ディスク５１は、ディスクトレイ５２に搭戴されて、光ディスク装置５３の外部から内部に装着され、或いは内部から外部に取り出される。ディスクトレイ５２には、このディスクトレイ５２上の光ディスク５１の有無を検出するディスク検出センサ５４が配設されている。ディスク検出センサ５４は、例えば、レーザダイオード又はＬＥＤによる発光素子と、フォトダイオード又はフォトトランジスタによる受光素子から構成され、光ディスク５１による反射光の有無によりディスクの有無を検出する。ディスク検出センサ５４の位置は、装着する光ディスクの最小半径の内側に配設される。
【０００４】
図１１は図１０の光ディスクの着脱装置の機構及びブロック構成を示す図である（特許文献１、参照）。図１１を参照すると、光ディスク５１は、ディスクトレイ５２上のディスク保持器５５に保持される。ディスクトレイ５２は、スライドレール５６ａ、５６ｂに設けられたラック、ピニオン或いは、プーリ等がモータ６０で駆動されて光ディスク装置５３の内部と外部間の両方向に移動可能に構成されている。
【０００５】
イジェクトボタン６２は、ディスクトレイ５２をイジェクトさせるイジェクト指令ｋｏをディスクトレイ駆動部６３に出力する。ディスク検出センサ５４は、例えばＬＥＤから光ディスク５１の面に照射された光の反射光の有無をフォトダイオードで検出することにより光ディスクの有無を判別する。ディスク検出部６４は、所定の時点におけるディスク検出センサ５４のディスクの有無を示すディスク検出信号をディスクトレイ制御回路６５に出力する。
【０００６】
ディスクトレイ制御回路６５は、ディスク検出信号を受信すると、このディスク検出信号の内容を装置内部のメモリに記憶しておき、このディスク検出信号の検出経緯に基づき、ディスクトレイ５２上への光ディスク５１の着脱状況を把握して、ディスクトレイ５２のクローズ指令ｋｃをディスクトレイ駆動部６３に出力する。ディスクトレイ制御回路６５は、内蔵のタイマにより所定のタイミングでディスク検出部６４に対しディスク検出のタイミングを指示すればよい。
【０００７】
ディスクトレイ駆動部６３は、イジェクト指令ｋｏまたはクローズ指令ｋｃに基づき、モータ６０を駆動して、ディスクトレイ５２を光ディスク装置５３の内部と外部の間をいずれかの方向に移動させる。
【０００８】
手動クローズボタン６６は、ディスクトレイ６２上の光ディスク６１の有無に関係なく、ディスクトレイ駆動部６３に対して、手動でディスクトレイ６２のクローズ指令ｋｃを出力するボタンである。
【０００９】
上記構成でなる光ディスクの着脱装置の動作を以下に説明する。イジェクトボタン６２が押されるとイジェクト指令ｋｏがディスクトレイ駆動部６３に出力され、同駆動部６３から出力される駆動信号によりモータ６０を駆動してディスクトレイ５２を光ディスク装置の外部に移動してオープン状態とする。また、イジェクト指令ｋｏがディスク検出部６４に伝達されると、ディスク検出センサ５４がオンされて、このセンサ信号を受けたディスク検出部６４により、イジェクト時のディスクトレイ５２上の光ディスク５１の有無が検出されて、ディスク検出信号がディスクトレイ制御回路６５に出力される。
【００１０】
ディスクトレイ制御回路６５は、ディスク検出部６４によりディスク検出信号を受信すると同時に、ディスクトレイ５２をオープン状態に保持しておくための時間幅のオープン保持期間を設定し、この期間内におけるディスク検出信号と、装置内に記憶している検出経緯とに基づき、光ディスク５１の取り出し或いは装着を判断し、ディスクトレイ駆動部６３に対して自動的にディスクトレイ５２のクローズを行うクローズ指令ｋｃを出力する。所定の操作が確認されない場合も、オープン保持期間経過後に自動的にクローズ指令ｋｃを出力する。
【００１１】
ディスクトレイ駆動部６３に、ディスクトレイ制御回路６５からクローズ指令ｋｃが入力されると、モータ６０を駆動してディスクトレイ５２を光ディスク装置５３内に自動的に収納させる。
【００１２】
このような従来の光ディスクの着脱機構においては、イジェクトボタン６２が押されると、ディスク検出部６４はディスク検出センサ５４（光センサと記す）を作動させ、ディスクトレイ制御回路１５は、ディスク検出部６４からのディスク検出信号を受け、ディスク検出信号に基づきイジェクト時点のディスク有無の判定を行う。このディスク有無の判定の後、ディスクトレイ制御回路６５はディスクトレイ５２をオープンさせる。ディスクトレイ５２上に光ディスク１が無い場合は、ディスクトレイ５２のオープンの後、ディスクトレイ制御回路６５はディスク有無の判定をして、新規の光ディスク５１の装着が検出されたときは、自動的にディスクトレイ５２をクローズする。上記の判定において光ディスク５１が無いときは、さらに所定のオープン保持時間ｔ１が経過するまでは、上記ディスク有無の判定を繰り返す。
【００１３】
光ディスク５１が検出されることなくオープン保持時間ｔ１が経過したときは、自動的にディスクトレイ５２をクローズする。また、オープン保持時間ｔ１が経過する前に、光ディスク５１の装着が検出されると自動的にディスクトレイ５２をクローズする。このように動作するので、いつまでもディスクトレイ５２がオープンしたままとなることがなくなる。
【００１４】
上記イジェクト時点の判定において、光ディスク５１が有る場合は、ディスクトレイ５２のオープンの後、ディスク有無の判定をして、光ディスク５１が継続して有るときは、所定のオープン保持時間ｔ２が経過するまでは、ディスクの有無の判定を繰り返す。オープン保持時間ｔ２内に光ディスクの取り出しがなければ、オープン保持時間ｔ２経過後に、自動的にディスクトレイ５２をクローズする。
【００１５】
上記オープン保持時間ｔ２が経過する前に光ディスク５１が無しとなったときは、さらに光ディスク有無の判定を行い、引き続き光ディスク無しと判定されたときは、所定のディスク無し時間ｔ３を経過する迄は、ディスク有りの判定を繰り返す。ディスク無し時間ｔ３が経過する前に、光ディスク５１の装着が検出されたら、自動的にディスクトレイ５２をクローズする。また、光ディスク５１の装着が検出されることなく、ディスク無し時間ｔ３を経過したなら、自動的にディスクトレイ５２をクローズする。
【００１６】
こうして所定時間内に新たな光ディスク５１が装着され、または装着されないとき、自動的にディスクトレイ５２はクローズされるので、ディスクトレイがオープンになったままになることがなく、ディスクトレイ５２の閉め忘れがなくなり、しかも、光ディスクのイジェクト操作が簡単となる。なお、オープン保持時間ｔ１、ｔ２、及び、ディスク無しの時間ｔ３は、任意に設定されればよい。
【特許文献１】特開２００２−１５５０２号公報
【発明の開示】
【発明が解決しようとする課題】
【００１７】
このように従来において、光ディスク（例えば、コンパクトディスク，ＤＶＤ）を再生、記録する装置にディスクを置くトレイが有る場合、このトレイの出し入れについて制御する必要があるが、ディスク検出センサが必要になるなど構成が複雑になるなどの課題があった。
【００１８】
本発明は、上記の点に鑑みてなされたもので、メモリーカードから光ディスクへのデータコピーを確実且つ操作性良く行うことができるデータ記録装置を提供することを目的とする。
【課題を解決するための手段】
【００１９】
本発明によれば、メモリーカードリーダ装置と、光ディスク記録再生装置とを備えたデータ記録装置において、前記光ディスク記録再生装置は、前記メモリーカードリーダからの読み取りデータを前記光ディスク記録再生装置に送るとともに、データ記録の際には、トレイの開放を阻止するための手段と、データ記録終了後、前記メモリーカードが抜かれたかどうかを確認するための手段と、前記メモリーカードが抜かれたことを確認した後、イジェクト操作されたときに前記トレイを開放する手段と、前記トレイが一定時間開放の状態であると、前記トレイを閉じる手段とを備えていることを特徴とするデータ記録装置が得られる。
【００２０】
また、本発明によれば、前記データ記録装置において、メモリーカードに記録された情報を読み出し、光ディスクに書き込むことのみを行うことを特徴とするデータ記録装置が得られる。
【００２１】
この装置を使用中に、トレイを出されるような動作を感知し、一定時間内にトレイを閉める動作がされなかった場合には、自動的にトレイを閉める動作を行う。
【発明の効果】
【００２２】
本発明によれば、簡単な構成にて、メモリーカードから光ディスクへのデータコピーを確実に行うことができ、またメモリーカードの抜き忘れがなく、また引き出されたままのトレイに人または物が当たって装置を破壊することを防ぐことができる。
【発明を実施するための最良の形態】
【００２３】
以下、本発明の実施の形態について図面を参照しながら説明する。
【００２４】
図１は本発明の実施の形態によるメモリカードリーダ装置を備えたデータ記録装置の外観を示す正面図である。図２は図１のデータ記録装置の平面図、図３は図１のデータ記録装置の背面図、図４は図１のデータ記録装置の底面図、図５はデータ記録装置の右側面、図６はデータ記録装置の左側面図である。また、図７は図２の状態から、光ディスク用のトレイを引き出した状態を示す平面図である。
【００２５】
図１に示すように、データ記録装置１００は、箱体の正面にパーソナルコンピュータ（ＰＣ）と同様の５インチベイ１１，１２を２つ備え、下の５インチベイ１１には、光ディスクに対して記録再生可能な光ディスク記録再生装置（この例においては、ＣＤ−Ｒ／ＲＷ）を収容している。尚、光ディスク記録再生装置は、ＤＶＤ−Ｒ／ＲＷ，ＤＶＤ±Ｒ／ＲＷ、ＤＶＤ−ＲＡＭドライブ等であっても良い。
【００２６】
また、その上の５インチベイには、メモリーカードリーダ装置１５が装着されている。
【００２７】
本例の場合、データ記録装置１００は、メモリカードの情報をＣＤ−Ｒ等の光ディスクに書き込むことのみに用いられる。
【００２８】
また、データ記録装置１００の天井面の正面側には、傾斜した操作板１０が設けられている。操作板１０には、動作を表示するＬＣＤディスプレー７、操作を選択するためのＹＥＳボタン８及びＮＯボタン９が設けられている。
【００２９】
図３に最も良く示されるように、背面１９には、電源スイッチ２３と、電源用ソケット２２と、装置内の空気を排気のためのファンが設けられた通気孔２１を備えた電源部２０を備えている。
【００３０】
図２及び図５に最も良く示されるように、右側面と上面にかけて、格子状の通気孔が設けられている。
【００３１】
また、図５に最も良く示されるように、底面１８の前端側には、幅方向に長く切り込まれた通気孔４３が、前後方向に並んで複数設けられている。
【００３２】
図７に示すように、ＣＤ−Ｒ／ＲＷドライブ６は、イジェクト命令を入力するだけで、光ディスクを収容するために窪んだディスク収容部２６を備えたトレイ２５を引き出すことが可能である。尚、符号２７は光ディスクを収容した際に、ＣＤ−ＲＷ内部で読み取り及び回転機構を光ディスクに当接若しくは近接させるための孔部である。
【００３３】
このようにデータ記録装置１００は、上記のような構成であり、主に店頭などに置かれ、メモリーカードに記録されたデジタルカメラの写真データなどをＣＤ−Ｒディスクにコピーするのに用いられるものである。
【００３４】
図８は図１乃至図７に示したデータ記録装置のブロック図である。図８を参照すると、データ記録装置１００は、ＣＤ−Ｒ／ＲＷドライブ６と、各メモリ読み取り装置、即ち、ＳＤカードリーダ１、コンパクトフラッシュ（登録商標）リーダ２，メモリースチック用リーダー３，ｘＤピクチャーカード用リーダー４，及びスマートメディア用リーダ５を備えている。
【００３５】
また、ＳＹＳＴＥＭ  ＬＳＩ（ＣＰＵ）３１及びランダムアクセスメモリ（ＳＤＲＡＭ）３２、ＳＲＡＭ（Ｓｔａｔｉｃ  ＲＡＭ）３７、データ記憶装置のシステム動作を行うプログラムを搭載した（ＦＬＡＳＨ  ＲＯＭ）３６、データ記憶装置の各種設定を保存したＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）３８とを備えている。また、ＣＤ−Ｒ／ＲＷドライブ６は、ＣＰＵ３１とデータバス３５を介して接続されている。また、ＲＡＭ３２はデータバスライン３４を介してＣＰＵ３１に接続されている。各メモリカードリーダ１，２，３はバスライン３３ａ，３３ｂ，３３ｃを介して、メモリカードリーダ４，５は、ピクチャーカードとスマートメディアとの切り換え器３３ｆにバスライン３３ｄ，３３ｅを介して接続され、この切り換え器３３ｆは、バスライン３３ｇを介してＣＰＵ３１に接続されている。ＣＰＵ３１は、各メモリカードとのインターフェースを備えたＣＰＵであり、メモリカードからの読み出し、ＣＤ−Ｒ／ＲＷへの書き込み等の全ての処理を実行している。ＲＡＭ（ＳＤＲＡＭ）３２は、メモリーカードから読み出したデータや、プログラム実行のためのデータを格納する。なお、ＣＤ−Ｒ／ＲＷ６は、ＣＰＵ３１からバスライン３５ｅ、ＩＤＥレベル変換器３５ｄ、バスライン３５ｃ、ＩＤＥインターフェース（Ｉ／Ｆ）３５ｂ、ＩＤＥケーブル３５ａを介して接続されている。符号、４６ｅ，４６ｄは電源ソケットであり、３９は表示部７の一例として、表示ＬＥＤを示している。
【００３６】
図９はデータ記録装置の動作説明に供せられるフローチャートであり、メモリーカードからＣＤ−Ｒにデータをコピーする際の動作を示している。図９を参照すると、まず、メモリーカードスロットに、メモリーカードが挿入され、ＣＤ−Ｒ／ＲＷドライブ６にＣＤ−Ｒドライブ６が挿入されている。この状態においては、ＣＤ−Ｒ／ＲＷドライブ６は、ロック手段によって、開放がロックされた状態にある。スタート（Ｓ１）とすると、メモリーカードからデータが読み出され、一旦ＲＡＭ３２に保存される（カードデータ読出手段）。ＲＡＭ３２に保存されたデータは、ＣＰＵ３１を介して、ＣＤ−Ｒ／ＲＷ６ドライブに送られる。ＣＤ−Ｒ／ＲＷ６ドライブは受け取ったデータを逐次ＣＤ−Ｒに書き込む。その際に表示パネルには、データ書き込み中を示す表示がなされる。読み出されたデータが全て書き込まれたか否か、即ち、コピーが終了したか否かが判断される（Ｓ３）。コピーが終了されていない場合には、書き込み中の表示が維持され、改めて書き込み終了判定手段によって、書き込みが終了したか否かが判断される。以下、一定時間間隔でその動作が繰り返される。一方、書き込み終了が表示されると、メモリーカードが抜かれたか否かが判断される（Ｓ４）。抜かれていない場合（Ｎの場合）には、一定時間間隔で、その動作が繰り返される。一方、抜かれている場合には、トレイ２５を開放するためのＣＤ−Ｒ／ＲＷ６のＹＥＳボタン８が押されたか否か判断される（Ｓ５）。ＹＥＳボタン８が押されていない場合には、一定時間間隔でその動作が繰り返される。一方、ＹＥＳボタン８が押されていた場合には、トレイ２５が図７に示すように、オープンする（Ｓ６）。このように、メモリーカードが抜かれるまでイジェクトボタンの操作をできなくすることにより、メモリーカードの抜き忘れを防止することができる。
【００３７】
次に、ＹＥＳボタン８が再び押されたか否か判断される（Ｓ７）。ＹＥＳボタン８が押された場合には、トレイ開放阻止手段によって、トレイ２５が引き込み位置に戻り（トレイクローズ、Ｓ９）、前述の動作が繰り返される（リターン、Ｓ１０）。Ｓ７段階で、ＹＥＳボタン８が押されていない場合には、一定時間Ｔ１経過したか否かが判断される（ｓ８）。一定時間Ｔ１経過しない場合には、ＹＥＳボタン８が押されたか否の判断（Ｓ７）に戻り、一定時間Ｔ１経過するまで、この動作が繰り返される。一方、一定時間Ｔ１経過の後、トレイクローズ（Ｓ９）されて、再び最初に戻る（リターン，Ｓ１０）。
【００３８】
このように、本発明の実施の形態においては、トレイ２５が開いた際、閉じるスイッチ８を押し忘れた場合にも、一定時間Ｔ１経過の後、トレイ開放阻止手段によって、自動的にトレイ２５を閉めることにより、装置内にごみ、埃等が入り込んで装置動作に悪い影響を及ぼすのを防ぐことができる。
【００３９】
また、ＣＤ−Ｒに書き込みの後、トレイ２５を引き出して、ＣＤ−Ｒを取り出すわけであるが、開放状態が一定時間継続すると、引き出されたままのトレイ２５に人または物が当たって装置を破壊することを防ぐことができる。
【産業上の利用可能性】
【００４０】
本発明に係るデータ記憶装置は、メモリカードリーダと光ディスク記録再生装置を備えているために、メモリーカードの画像等の情報を光ディスクに移動して記録することに適用することができる。
【図面の簡単な説明】
【００４１】
【図１】本発明の実施の形態によるメモリカードリーダ装置を備えたデータ記録装置の外観を示す正面図である。
【図２】図１のデータ記録装置の平面図である。
【図３】図１のデータ記録装置の背面図である。
【図４】図１のデータ記録装置の底面図である。
【図５】データ記録装置の右側面である。
【図６】データ記録装置の左側面図である。
【図７】図２の状態から、光ディスク用のトレイを引き出した状態を示す平面図である。
【図８】図１乃至図７に示したデータ記録装置のブロック図である。
【図９】図９はデータ記録装置の動作説明に供せられるフローチャートであり、メモリーカードからＣＤ−Ｒにデータをコピーする際の動作を示している。
【図１０】従来技術による光ディスクの着脱装置の斜視図である。
【図１１】図１０の光ディスクの着脱装置の構成及びブロック構成を示す図である。
【符号の説明】
【００４２】
１    ＳＤカードリーダ
２    コンパクトフラッシュ（登録商標）リーダ
３    メモリースチック用リーダー
４    ｘＤピクチャーカード用リーダー
５    スマートメディア用リーダ
６    ＣＤ−Ｒ／ＲＷドライブ
７    ＬＣＤディスプレー
８    ＹＥＳボタン
９    ＮＯボタン
１０    操作板
１１，１２    ５インチベイ
１５    メモリーカードリーダ装置
１８    底面
１９    背面
２０    電源部
２１    通気孔
２２    電源用ソケット
２３    電源スイッチ
２５    トレイ
２６    ディスク収容部
２７    孔部
３１    ＳＹＳＴＥＭ  ＬＳＩ（ＣＰＵ）
３２    ランダムアクセスメモリ（ＳＤＲＡＭ）
３３ａ，３３ｂ，３３ｃ    バスライン
３３ｆ    切り換え器
３３ｄ，３３ｅ    バスライン
３３ｇ    バスライン
３４    データバスライン
３５ａ    ＩＤＥケーブル
３５ｂ    ＩＤＥインターフェース（Ｉ／Ｆ）
３５ｃ    バスライン
３５ｄ    ＩＤＥレベル変換器
３５ｅ    バスライン
３６    ハードウエアの制御を行うフラッシュメモリ（ＦＬＡＳＨ  ＲＯＭ）
３７    ＳＲＡＭ（Ｓｔａｔｉｃ  ＲＡＭ）
３８    ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）
４３    通気孔
１００    データ記録装置
【図１】
2005108323.tif 000003
【図２】
2005108323.tif 000004
【図３】
2005108323.tif 000005
【図４】
2005108323.tif 000006
【図５】
2005108323.tif 000007
【図６】
2005108323.tif 000008
【図７】
2005108323.tif 000009
【図８】
2005108323.tif 000010
【図９】
2005108323.tif 000011
【図１０】
2005108323.tif 000012
【図１１】
2005108323.tif 000013